(57)【要約】【課題】従来の木造建築の床組は複数の材料で構成されているため、床のひずみ、床なり等が発生し易く、住宅品質確保促進法に触れるおそれがある。【解決手段】本件の建築用パネルは、二本並べた芯持ちの棒材の溝に変形防止材を跨がせて配置し、この配置の繰り返しにより数本の棒材を並べ、並べた棒材を棒材連結具で貫通してパネル状に連結した。二本の棒材の溝に隙間防止材をも跨がせて配置した。本件の建築構造は、前記建築用パネルを受け材の上に配置し、それら建築用パネルを固定具により受け材に固定して、床構造、天井構造等とした。土台の外面にスペーサを間隔を空けて取り付け、スペーサの外側に外壁材を配置し、土台の上に前記建築用パネルを配置固定して、建築用パネルと外壁材との間に通気空間を形成し、建築用パネルの内側に断熱材を配置し、その内側に内壁材を設けた。【選択図】      図１
2004263398.tif 000002
【特許請求の範囲】
【請求項１】
芯持ちの棒材（１）の接合面（２）にその長手方向に沿って溝（３）が形成され、二本の棒材（１）が接合面（２）を合わせて並べられ、隣接する棒材（１）の溝（３）に跨がせて棒材（１）の変形を防止する変形防止材（４）が配置され、前記と同様に変形防止材（４）を挟んで複数本の棒材（１）を並べ、それら棒材（１）を棒材連結具（５）で貫通してパネル状に連結したことを特徴とする建築用パネル。
【請求項２】
芯持ちの棒材（１）の接合面（２）にその長手方向に沿って溝（３）が二本以上形成され、その二本の棒材（１）が接合面（２）を合わせて並べられ、隣接する棒材（１）の溝（３）に跨がせて棒材（１）の変形を防止する変形防止材（４）が配置され、隣接する棒材（１）の他の溝（３）に跨がせて隙間防止材（６）が配置され、前記と同様に変形防止材（４）と隙間防止材（６）を挟んで複数本の棒材（１）を並べ、それら棒材（１）を棒材連結具（５）で貫通してパネル状に連結したことを特徴とする建築用パネル。
【請求項３】
請求項１又は請求項２記載の建築用パネル（７）を土台、根太等の受け材（８）の上に配置し、それら建築用パネル（７）を固定具（９）により受け材（８）に固定したことを特徴とする建築用パネルを使用した建築構造。
【請求項４】
請求項１又は請求項２記載の建築用パネル（７）を、土台、根太等の受け材（８）の上に二枚以上並べ、それら建築用パネル（７）を固定具（９）により受け材（８）に固定し、建築用パネル（７）同士をパネル連結具（１０）により連結したことを特徴とする建築用パネルを使用した建築構造。
【請求項５】
請求項１又は請求項２記載の建築用パネル（７）を、建築物の柱、間柱等の内側又は外側又は間に配置固定して壁構造としたことを特徴とする建築用パネルを使用した建築構造。
【請求項６】
土台（１１）の外面にスペーサ（１２）を設け、スペーサ（１２）は土台（１１）の長手方向に間隔を空けて設け、スペーサ（１２）の外側に外壁材（１３）を配置し、土台（１１）の上に請求項１又は請求項２記載の建築用パネル（７）を配置固定して、当該建築用パネル（７）と外壁材（１３）との間に通気空間（１４）を形成し、その建築用パネル（７）の内側に断熱材（１５）を配置し、その内側に内壁材（１６）を設けて外壁構造としたことを特徴とする建築用パネルを使用した建築構造。
【発明の詳細な説明】
【０００１】
【発明の属する技術分野】
本発明は建築用パネルと、それを使用した建築構造に関するものである。
【０００２】
【従来の技術】
今日の住宅建築工法には２×４工法、パネル工法、軸組み工法といった様々な工法がある。
【０００３】
【発明が解決しようとする課題】
夫々の工法には一長一短がある。軸組み工法の床組は床下束石、束、大引角、根太掛け、根太棒、床板等、複数の材料の組み合わせで構成されており、床のひずみ、床鳴り等が発生し易く、住宅品質確保促進法に違反するおそれがある。
【０００４】
【課題を解決するための手段】
本発明の目的は、前記課題を解決し、身体に優しい住環境が得られ、県産材や間伐材を有効利用可能な建築用パネルと、それを使用した建築構造を提供することにある。
【０００５】
本件出願の請求項１の建築用パネルは、芯持ちの棒材１の接合面２にその長手方向に沿って溝３が形成され、二本の棒材１が接合面２を合わせて並べられ、隣接する棒材１の溝３に跨がせて棒材１の変形を防止する変形防止材４が配置され、前記と同様に変形防止材４を挟んで複数本の棒材１を並べ、それら棒材１を棒材連結具５で貫通してパネル状に連結したものである。
【０００６】
本件出願の請求項２の建築用パネルは、芯持ちの棒材１の接合面２にその長手方向に沿って溝３が二本以上形成され、その二本の棒材１が接合面２を合わせて並べられ、隣接する棒材１の溝３に跨がせて棒材１の変形を防止する変形防止材４が配置され、隣接する棒材１の他の溝３に跨がせて隙間防止材６が配置され、前記と同様に変形防止材４と隙間防止材６を挟んで複数本の棒材１を並べ、それら棒材１を棒材連結具５で貫通してパネル状に連結したものである。
【０００７】
本件出願の請求項３の建築用パネルを使用した建築構造は、請求項１又は請求項２記載の建築用パネル７を土台、根太等の受け材８の上に配置し、それら建築用パネル７を固定具９により受け材８に固定したものである。
【０００８】
本件出願の請求項４の建築用パネルを使用した建築構造は、請求項１又は請求項２記載の建築用パネル７を、土台、根太等の受け材８の上に二枚以上並べ、それら建築用パネル７を固定具９により受け材８に固定し、建築用パネル７同士をパネル連結具１０により連結したものである。
【０００９】
本件出願の請求項５の建築用パネルを使用した建築構造は、請求項１又は請求項２記載の建築用パネル７を、建築物の柱、間柱等の内側又は外側又は間に配置固定して壁構造としたものである。
【００１０】
本件出願の請求項６の建築用パネルを使用した建築構造は、土台１１の外面にスペーサ１２を設け、スペーサ１２は土台１１の長手方向に間隔を空けて設け、スペーサ１２の外側に外壁材１３を配置し、土台１１の上に請求項１又は請求項２記載の建築用パネル７を配置固定して、当該建築用パネル７と外壁材１３との間に通気空間１４を形成し、その建築用パネル７の内側に断熱材１５を配置し、その内側に内壁材１６を設けて外壁構造としたものである。
【００１１】
【発明の実施の形態】
（建築用パネルの実施の形態）
本発明の建築用パネルの第１の実施形態を図１に基づいて詳細に説明する。図１に示す建築用パネルは芯２０を持った（芯持ちの）木の棒材１を複数本、横一列に並べ、それらを棒材連結具５で貫通して連結してある。図１の棒材１は角材であるが、棒材１はその接合面（側面）２が横に並べて連結できる平面であれば、上面２１や下面２２は円弧面でもよい。棒材１のサイズは任意に選択することができる。一例としては１２０ｍｍ角、長さ３６４０ｍｍの柱状の角材とすることができる。
【００１２】
夫々の棒材１の接合面２にはその長手方向に沿って溝３が上下に間隔を空けて二本形成されている。溝３は半円状であり、接合面２から外側に開口して、二本の棒材１の接合面２同士を突き合わせると、溝３同士が対向して円形孔が形成されるようにしてある。二本の溝３のうち一本の溝３（図１では上の溝）には変形防止材４が溝３の長手方向に均等間隔で数本配置されている。変形防止材４は棒材１の捩れ、そり等の変形を防止するためのものであり、それには金属製の棒やパイプが使用されている。二本の溝３のうち他の一本の溝３（図１では下の溝）の全長には隙間防止材６が配置されている。隙間防止材６は隣接する棒材１間に隙間ができるのを防止して、隙間風が通るのを防止するためのものである。図１の隙間防止材６は発泡ウレタンを丸棒状に成形したものであるが、その材質はゴムと型の材料製とすることもできる。
【００１３】
溝３の形状は半楕円形、角形など任意の形状にすることができる。溝３の寸法も棒材１の寸法によって任意に選択することができ、溝３の本数も棒材のサイズが大きい場合は３本以上とすることができ、その間隔も任意とすることができる。変形防止材４、隙間防止材６の形状、寸法は溝の形状、寸法に合わせて任意に選択することができる。変形防止材４、隙間防止材６の材質も前記材質以外の任意の材質とすることができる。図１では変形防止材４と隙間防止材６の双方が使用されているが、変形防止材４を溝３の長手方向全長に配置して、変形防止材４が連結用介在具としての機能と、隣接する棒材１間の隙間防止具としての機能とを兼用することができれば、隙間防止材６は不要となる場合もある。
【００１４】
本発明では棒材１の溝３に変形防止材４、隙間防止材６を配置し、それらの径の約半分を溝３の外に突出させ、その棒材１の横に他の棒材１を並べる。この場合、隣接する棒材１の溝３を変形防止材４の突出部１７、隙間防止材６の突出部１８に被せて、隣接する棒材１の接合面２同士を接合させる。このようにして複数本の棒材１を所望本並べ、それら棒材１を棒材連結具５で連結する。棒材連結具５にはボルトとナットを使用し、並べた棒材１の一端からボルトを差し込んで他端まで貫通させ、貫通した先端部にナットを螺合して、並べた数枚の棒材１を固定する。並べる棒材１の長さ、本数は任意本数とすることができる。例えば、連結されたパネルの幅が４５５ｍｍとか、９１０ｍｍといった所定の規格にすると使用し易くなる。
【００１５】
（建築用パネルを１階の床材として使用した建築構造の実施形態）
本発明の建築用パネルは従来の壁板、床板、天井板用の板材やパネルに代えて使用することができる。１階の床板に代えてとして使用する場合は、例えば図４のように建築用パネル７を土台、大引、１階根太等の受け材８の上にのせ、隣り合う２枚の建築用パネル７同士をパネル連結具１０で連結する。パネル連結具１０にはパネル連結ボルトと高ナットを使用し、図３のように連結する２枚の建築用パネル７の外側からパネル連結ボルト２３を差し込んで夫々の建築用パネル７の内側に突出させ、２本のパネル連結ボルト２３の突出端部を高ナット２４（図３）にねじ込んで２本のパネル連結ボルト２３同士を連結することにより、両建築用パネル７を連結する。
【００１６】
図４のように土台、根太等の受け材８の上に配置した建築用パネル７は受け材８に固定する。その固定には固定具９を使用する。固定具９は図５に示すＬ字状のものを使用し、その縦板２５を建築用パネル６の接合面２に釘２６などで固定し、横板２７を受け材８に釘な２６等で固定することにより、建築用パネル７が受け材８に固定された床材が完成する。この場合、１階の根太はあっても良いが、無くとも良い。固定具９は図示した以外の形状、たとえば、Ｔ字状のものでもよい。
【００１７】
（建築用パネルを２階の床材（１階の天井材）として使用した建築構造の実施形態）
本発明の建築用パネルを２階の床板に代えて使用する場合は、例えば、建築用パネル７を２階梁、台輪、２階根太等の受け材の上にのせ、隣り合う２枚の建築用パネル７同士を１階の床材として使用する場合と同様にパネル連結具１０で連結する。
【００１８】
土台、根太等の受け材８の上に配置した建築用パネル７は２階の受け材に固定する。その固定には１階の床材を受け材に固定する場合と同様に図５に示す固定具９を使用し、固定具９の縦板２５を建築用パネル７の側面に釘などで固定し、横板２７を受け材に釘などで固定して、建築用パネル７を固定具９を介して２階の受け材に固定する。この場合、２階の根太はあってもなくとも良い。
【００１９】
（建築用パネルを外壁材として使用した建築構造の実施形態）
本発明の建築用パネル７を従来の外壁材に代えて使用する場合は、図６のコンクリート基礎３０の上の土台１１の上に間柱３３を立て、土台１１の外面にスペーサ１２を取り付ける。スペーサ１２は土台１１の長手方向に間隔を空けて取り付ける。スペーサ１２の外側には図７のようにスレート板、サイディング等の外壁材１３を配置し、外壁材１３の内側に本発明の建築用パネル７を配置固定して、当該建築用パネル７と外壁材１３との間に通気空間１４を形成する。前記建築用パネル７の内側に断熱材１５を配置し、その内側に土壁、漆喰、木製板材等の内壁材１６を設けることができる。建築用パネル７を建物の外壁として使用するこの実施形態では、建築用パネル７を縦向き（棒材１を縦向き）にして配置するのが構造、強度などの面から適する。
【００２０】
（建築用パネルを内壁材として使用した建築構造の実施形態）
本発明の建築用パネル７を従来の内壁材に代えて使用する場合は、例えば、その建築用パネル７を１階管柱、間柱等の外側或いは内側或いは間に配置し、固定する。建築用パネル７を建物の内壁材として使用するこの実施形態では、建築用パネル７を横向き（棒材１を横向き）にして配置するのが適する。配置した建築用パネル７は一枚単体で使用することもできるが、２枚以上を並べて使用することもできる。２枚以上を並べて使用し、並べた建築用パネル７同士を連結する必要がある場合は、１階の床材として使用する場合と同様に、図３のように建築用パネル７同士をパネル連結具１０で連結する。
【００２１】
前記のように１階管柱、間柱等の外側或いは内側に配置した建築用パネル７は、１階管柱、間柱等に固定する。その固定には１階の床材を受け材に固定する場合と同様に図５の固定具９を使用し、固定具９の縦板２５を建築用パネル７の側面や端面に釘２６などで固定し、固定具９の横板２７を１階管柱、間柱等に釘２６等で固定する。本発明の連結用パネル７を２階の壁面として使用する場合も、１階の壁面として使用する場合と同様に、２階管柱、間柱の外側或いは内側に配置して使用する。
【００２２】
【発明の効果】
本件出願の請求項１記載の建築用パネルは次のような効果がある。
１．芯持ちの棒材を複数本並べ、それらを棒材連結具で貫通して連結してパネル状にしたので、従来の床板、天井板、壁板、壁パネル等に代えて使用することができる。しかも、個々の棒材が柱と同様の形状であり、強度に優れるため、それを組み合わせたパネル全体も強度に優れたものとなる。このため、１階又は２階の床パネル（２階の場合は天井パネルともなる）、木造建築の外壁材、内壁材等の各種用途に使用することができる。
２．木材が棒材として大量に使用されるため、林業の活性化にも役立つ。しかも、木材には、二酸化炭素を抑制する効果があるため、木材を多く使用する本発明のパネルは人体に優しい住環境作りに役立つ。
３．棒材の接合面に溝が形成され、棒材の変形を防止する変形防止材を、隣り合う二本の棒材の溝に跨がせて配置させ、変形防止材を挟んで並べた棒材を棒材連結具で貫通して連結したので、隣り合う二本の棒材の連結が確実且つ強固になる。
４．木材の持つ熱伝導率の特性が生かされて、断熱効果が高い。
５．木材から揮発性有機化合物テルペン類が発散されるので、自律神経の安定、快適な睡眠、消臭、抗菌作用があり、人体に安全である。
【００２３】
本件出願の請求項２記載の建築用パネルは、棒材の接合面に溝が形成され、隙間防止材を隣り合う二本の棒材の溝に跨がせて配置させ、隙間防止材を挟んで並べた棒材を棒材連結具で貫通して連結したので、隣り合う二本の棒材に隙間ができず、気密性の高いパネルとなる。
【００２４】
本件出願の請求項３記載の建築構造は、前記建築用パネルを土台、根太等の受け材の上に配置し、それら建築用パネルを、建築用パネルと受け材に固定する固定具により受け材に固定したので次のような効果がある。
１．建築用パネルの固定が容易且つ確実になる。
２．建築用パネルは強度に優れた棒材を組み合わせて形成されているため、水平構面、耐力壁強度も大幅にアップしたもの構造体となる。
３．建築用パネルは強度に優れた棒材を組み合わせて形成されているため、水平構面、耐力壁強度も大幅にアップした構造体となる。
４．根太が無くとも床材や天井材として使用することができ、しかも、床材や天井材としての強度が確保され、根太を使用しない分だけ安価にもなり、使用する材料が少なくなるため、床のゆがみ、よじれ、床鳴り等が発生することも無く、住宅品質確保促進法に違反するおそれもない。
【００２５】
本件出願の請求項４記載の建築構造は、前記建築用パネルを、土台、根太等の受け材の上に二枚以上並べ、それら建築用パネル同士をパネル連結具により連結し、更に、それら建築用パネルを、建築用パネルと受け材に固定する固定具により受け材に固定したので、建築用パネル同士の連結が確実になり、また、受け材への建築用パネルの連結も確実になる。更に、根太が無くとも床材や天井材としての強度が確保され、根太を使用しない分だけ安価にもなり、使用する材料が少なくなるため、床のゆがみ、よじれ、床鳴り等が発生することも無く、住宅品質確保促進法に違反するおそれもない。
【００２６】
本件出願の請求項５記載の建築構造は、本発明の建築用パネルを、建築物の柱、間柱等の内側又は外側又は間に配置固定して壁構造としたので壁の強度が向上し、耐震性も向上する。壁つくりも容易になる。
【００２７】
本件出願の請求項６記載の建築構造は、土台の外面に空間確保材を土台の長手方向に間隔を空けて取り付け、空間確保材の外側に外壁材を配置し、土台の上に前記建築用パネルを配置固定して、当該建築用パネルと外壁材との間に通気空間を形成し、前記建築用パネルの内側に断熱材を配置し、その内側に内壁材が設けられたので、壁面構造が簡潔になる。また、筋違いなども不要になり、その分だけ安価にもなる。
【図面の簡単な説明】
【図１】本発明の建築用パネルの一例を示す斜視図。
【図２】図１の建築用パネルの連結説明図。
【図３】図２のように連結した建築用パネルの断面図。
【図４】本発明の建築用パネルと受け材の固定状態を示す断面図。
【図５】本発明の建築構造に使用される固定具の一例を示す斜視図。
【図６】本発明の建築用パネルを取付ける前の基礎及び土台部分の斜視図。
【図７】図５の基礎及び土台部分に本発明の建築用パネル外壁材等を取付けた状態の断面図。
【符号の説明】
１  棒材
２  棒材の接合面
３  溝
４  変形防止材
５  棒材連結具
６  隙間防止材
７  建築用パネル
８  受け材
９  固定具
１０  パネル連結具
１１  土台
１２  スペーサ
１３  外壁材
１４  通気空間
１５  断熱材
１６  内壁材
１７  変形防止材の突出部
１８  隙間防止材の突出部
２０  芯
２１  棒材の上面
２２  棒材の下面
２３  パネル連結ボルト
２４  高ナット
２５  固定具の縦板
２６  釘
２７  固定具の横板
３０  コンクリート基礎
３３  間柱
【図１】
2004263398.tif 000003
【図２】
2004263398.tif 000004
【図３】
2004263398.tif 000005
【図４】
2004263398.tif 000006
【図５】
2004263398.tif 000007
【図６】
2004263398.tif 000008
【図７】
2004263398.tif 000009